(57)【要約】      （修正有）【課題】  カッターなどの領域において簡単で信頼性が高い方法で屑を除去できるルーターを提供する。【解決手段】  カッターヘッド１の工具保持部４に挿入されるカッターを通すための中央開口部を備える基部プレート２０に取り付けられる案内コラム３０，３１に取外し可能にカッターヘッドが保持されるような、駆動モータを有するカッターヘッドを有するルーターは、その周囲の少なくとも大部分に渡って中央開口部２１を包囲し且つ吸引排出路が接続される吸引取込路２３を有する基部プレートに設けられる。吸引排出路は、このために中空に構成される案内コラムの１つの内側で走る。【選択図】      図１
2005125795.tif 000002
【特許請求の範囲】
【請求項１】
駆動モータ（２）を有し且つ案内コラム（３０，３１）に取外し可能に保持されるカッターヘッド（１）を具備しており、前記案内コラム（３０，３１）は、基部プレート（２０）に取り付けられ且つワークピースの係合面に対し鉛直方向へ前記基部プレート（２０）から離れるように延びており、前記基部プレート（２０）の方へ向き且つ前記駆動モータ（２）に連結される前記カッターヘッド（１）の側部に設けられるカッターなどのための工具保持部（４）を具備しており、前記基部プレート（２０）は、前記工具保持部（４）を軸線方向へ延長したところに、前記カッターなどを通すための開口部（２１）または凹部を備えており、前記基部プレート（２０）は、その外周の少なくとも大部分に渡って前記開口部（２１）または凹部を包囲する吸引取込路（２３）を有しており、該吸引取込路（２３）は、前記開口部（２１）または凹部を向く吸引取込開口部を少なくとも有しており、該吸引取込路（２３）へは吸引排出路（３６）が接続されており、前記吸引取込路（２３）は、案内コラム（３１）の領域で前記基部プレート（２０）から上方へ延び、且つ該案内コラム（３１）と共軸線上に前記領域で走っており、前記基部プレート（２０）から離れた前記案内コラム（３１）の端部は、吸引排出装置に接続されるルーターにおいて、前記案内コラム（３１）が中空であり、前記吸引排出路（３６）が前記案内コラム（３１）内で走ることを特徴とするルーター。
【発明の詳細な説明】
【技術分野】
【０００１】
本発明は、駆動モータを有するカッターヘッドを具備するルーターに関し、特に、おおくは幾つかの部品から構成される基部プレートに取り付けられ、ワークピースの係合面に対し垂直に基部プレートから離れるように延びる２つの案内コラムに概ね取外し可能に保持される駆動モータを有するカッターヘッドと、基部プレートの方に向き、駆動モータに連結されるカッターヘッドの側部に設けられるカッターなどのための工具保持部とを有するルーターであって、基部プレートは、工具保持部を軸線方向へ延長したところに、カッターなどが通過するための開口部または凹部を備えるルーターであって、基部プレートは、その外周の少なくとも大部分に渡って開口部または凹部を包囲する吸引取込路を有しており、その吸引取込路は、開口部または凹部の方へ向いた吸引取込開口部を少なくとも有しており、吸引排出路は、その吸引取込路に接続されており、吸引取込路は、案内コラムの領域において基部プレートから上方へ延び且つ案内コラムと共軸線上にこの領域で走り、基部プレートから離れた吸引取込路の端部は、吸引排出装置に接続されるようなルーターに関する。
【背景技術】
【０００２】
このタイプの公知のルーター（特許文献１）においては、下方端部が基部プレートに接続され且つ上方端部がカッターヘッドに接続される１つの案内コラムが、内側境界壁およびベローズを形成し、且つ環状空間の外側境界壁を形成するように、リング状の吸引排出路が吸引取込路から延びる。吸引排出路は、環状空間の上方端部において、カッターヘッドの電機子シャフトを包囲する室へ続き、それから電機子シャフトの周りでファン室の方へ下方へ走り、取り付けられる吸引排出チューブは、ファン室へ接続されており、例えば真空クリーナーとしての吸引排出装置に接続される。
【０００３】
従って、この公知の構造における吸引排出路は、ベローズによってその下方領域に形成される。ルーターとの接続における適用が比較的粗いこのようなタイプのベローズを使用することは、ベローズが常に損傷を受け、それからカッター領域から排出されたチップや屑の微片が損傷を受けたベローズを通して外へ放出される危険性がある。更にカッターヘッド内における吸引排出路の更なる行程のために、カッターヘッドのハウジングが比較的複雑でコストのかかる構造が必要となる。
【特許文献１】欧州特許第０１９１５０９号明細書
【発明の開示】
【発明が解決しようとする課題】
【０００４】
本発明の目的は、カッターなどの領域において簡単で信頼性が高い方法で屑を除去できるルーターを提供することである。
【課題を解決するための手段】
【０００５】
この目的を達成するために、冒頭で言及したタイプのルーターは、１つの案内コラムが中空であり、吸引排出路が、その中空の案内コラムの内部で走るような本発明に従って構成される。特に好ましい実施例においては、吸引排出装置のための接続部分は、中空の案内コラムの上方端部に設けられる。
【０００６】
本発明に従ったルーターにおける案内コラムの１つは、吸引排出路を形成するのに使用され、且つ中空に構成されているので、吸引排出路の壁を形成するが作動中に損傷を受けて透過するようになってしまうような追加の構成要素が必要なく、他方で、屑の簡単で実質的に直線的な運動が得られて、吸引除去のために過度に高い真空を必要とせず、且つ屑の微片が吸引排出路の案内領域に堆積しない。
【０００７】
吸引排出装置のための接続部が、中空の案内コラムの上方端部に設けられて、完全な吸引排出路が、基部プレートから中空の案内コラムの内側の吸引装置の接続部へ走るならば、この構造は、特に簡単である、即ち付加的なシールを必要とする接続やつなぎ目が存在しない。
【０００８】
中空の案内コラムの外径は、他の案内コラムの外径よりも大きく、従って効果的に屑を収集するのに適した断面を有する吸引排出路が、中空の案内コラムに形成されるのが好ましい。
【０００９】
公知のルーターにおけるカッターヘッドは、通常、基部プレートに対して少なくとも１つの圧力ばねを介して支持されており、従って、その圧力ばねは案内コラムの内側に配置され、且つ基部プレートの一端部と、上方から案内コラムへ伸縮自在に延びるカッターヘッド（特許文献１）の部分における他端部とで支持される。しかしながら、本発明に従ったルーターの場合における中空の案内コラムが、内部空間に吸引排出路を形成するのに使用されるならば、圧力ばねをこの位置に配置する必要はない。
【００１０】
本発明に従ったルーターにおいては、中空の案内コラムの上方端部を包囲する引張ばねをカッターヘッドと中空の案内コラムの上方端部との間に外側に提供し、この引張ばねは、例えばベローズによって包囲されていることが好ましい。このタイプの引張ばねは、カッターヘッドを高い位置へ動かすのに必要なばね引張力を生成し、且つカッターヘッドと基部プレートとの間の領域に配置される、つまり、作動において特に損傷を受ける危険性にさらされない領域に配置される。
【発明を実施するための最良の形態】
【００１１】
以下で、実施例の斜視図を示す図面を基本として本発明を詳細に説明する。
【００１２】
図示したルーターは、図２で示した電気モータ２が配置されるカッターヘッド１を有しており、その電気モータ２は従来の方法でカッターヘッド１に取り付けられ、且つ通常のタイプのファン輪３を電機子シャフトに保持する。電気モータ２の電機子シャフトの下方端部は、通常の形態の工具保持部４として形成される。補強ブシュ５を通りカッターヘッド１へ延びる図示していないエネルギ供給ケーブルが、電気モータ２にエネルギを供給するために使用される。
【００１３】
深さ調節ロッド７は、係止ネジ８によって所望の高さに固定されるカッターヘッド１に備えられる。従来の取っ手６は、カッターヘッド１の側部に配置されており、これら取っ手６の１つは、概して係止装置と協働して、係止することによってカッターヘッド１を対応する案内コラムに所望の高さで固定する。
【００１４】
カッターヘッド１は、これまで説明したように案内コラム３０、３１に取外し可能に保持されており、これら案内コラム３０、３１は、これらの下方端部において基部プレート２０に取り付けられている。基部プレート２０は、電気モータ２の電機子シャフトの回転軸線９に対して、従って工具保持部４の軸線に対して実質的に中心に配設される連続的な中央開口部２１を有するので、工具保持部４に挿入されたカッターなどは、基部プレート２０の下方面がワークピースに通常、完全にまたは部分的に支持された状態で、中央開口部２１を通してカッターヘッド１を下げて加工すべきワークピースと係合する。
【００１５】
従来の回転プレート２８が、案内コラム３１に隣接した基部プレート２０の上方側部に備えられており、この回転プレート２８は、異なる高さに設定され且つ深さ調節ロッド７と協働する幾つかの深さ停止部を有しており、オペレータは、カッターヘッド１を選択した所定の深さへ下げることができる。
【００１６】
基部プレート２０は上方壁と下方壁とを有しており、その上方壁と下方壁との間に、吸引取込路２３が形成されており、その吸引取込路２３は、中央開口部２１を包囲し、且つ中央開口部２１に対して開口し、且つ上方向においては、例えば透明なプラスチック材料から形成されるカバー２２によって画成されまたはカバー２２と共に形成される。
【００１７】
特に図２から分かるように、案内コラム３０よりも大きな直径を有する案内コラム３１は、断面が円形であり且つ両端部で開口する中空のチューブとして形成される。案内コラム３１の下方端部は、基部プレート２０の突出部を介して基部プレート２０へ剛性的に接続されており、案内コラム３１の内部分は、接続路２４を介して吸引取込路２３へ接続される。保持リング３２は、案内コラム３１の上方端部に取り付けられており、吸引排出接続部材３３が、取外し可能に保持リング３２へ挿入される。この吸引排出接続部材３３は、例えば真空クリーナーなどに接続される。
【００１８】
カッターヘッド１は、案内コラム３０および３１が延びる２つの管状案内領域を備える。案内コラム３１の案内領域は、図２から分かるように、案内コラム３１を包囲する案内チューブ１１を有しており、保持ブッシ１０が、その案内チューブ１１の下方端部へ取り付けられる。案内チューブ１１の寸法は、案内コラム３１において、できるかぎりあそびはないが摺動可能な案内を得られるようになっている。
【００１９】
螺旋状の引張ばね３４の下方巻き部分は、保持ブッシ１０の外側部に取り付けられており、その上方巻き部分は、保持リング３２に取り付けられるので、保持リング３２、即ち案内コラム３１の上方端部と、保持ブッシ１０、即ち案内チューブ１１の下方端部との間に可撓性を有する接続がなされる。案内チューブ１１を包囲する引張ばね３４は、ベローズ３５によって包囲されており、そのベローズ３５の上方端部は保持リング３２に取り付けられており、その下方端部は保持ブッシ１０に取り付けられる。
【００２０】
カッターヘッド１を図示した上方位置へ引っ張る力は、この引張ばね３４によって供給されるので、対向する側部、つまり案内コラム３０の領域に追加のばねを提供する必要はないことが分かる。
【００２１】
保持ブッシ１０が、隣接した取っ手６の係止取付け領域に配置され、その係止取付け領域を通して従来の方法で、案内コラム３１においてカッターヘッド１を引張ばね３４の力に対抗して下げられた位置に係止して、工具保持部４に挿入されたカッターなどの下げられた所定位置を得ることが可能であることに注目できる。
【００２２】
例えば真空クリーナーの形態の真空源がホースなどを介して図示したルーターの吸引排出接続部３３の自由端部に接続されて、ワークピースが加工されるならば、カッターなどの回転によって外側へ運動する構成要素を既に有する切断領域で発生したチップや屑は、吸引されて中央開口部２１の領域から出て、吸引取込路２３へ吸引され、そしてここから接続路２４を介して通り、案内コラム３１の内側へ延びる吸引排出路３６へ吸引され、吸引排出接続部３３を通って真空源へ吸引される。この構成においては、有害な堆積や鋭い偏向がない流れのパターンが得られる。更に案内コラム３１と、保持リング３２と、吸引排出接続部３３とは、作動中に基部プレート２０に対するこれらの位置を変更しないので、シール問題がない。
【図面の簡単な説明】
【００２３】
【図１】ルーターの斜視図である。
【図２】図１のルーターの部分断面と部分的に破断した部分とを示す図である。
【符号の説明】
【００２４】
１    カッターヘッド
２    電気モータ
４    工具保持部
２０    基部プレート
２１    中央開口部
２３    吸引取込路
３０、３１    案内コラム
３３    吸引排出接続部材
３４    引張ばね
３６    吸引排出路
３５    ベローズ
【図１】
2005125795.tif 000003
【図２】
2005125795.tif 000004